(57)【要約】  本発明は、例えば床エリア1を覆うための照明装置、特に照明タイル100、100'に関し、当該装置は、発光ユニット及び付随する制御ユニットを有する。制御ユニットは第1の近くにいる対象物3の存在を検出し、第1の対象物3によって担持されている第2の近くにいる対象物からの、例えばRFIDタグ2及び/又はNFCベースの装置からの無線信号を受信する。当該照明装置は、空港のような公共空間を通過する乗客を誘導するための方法に、例えば使われることができる。
2010510621.tif 000002
【特許請求の範囲】
【請求項１】
発光ユニット及び付随する制御ユニットを有する照明装置であって、前記制御ユニットが、
a)  第1の近くにいる対象物の存在を検出するためのセンサ・モジュールと、
b)  第2の近くにいる対象物からの無線信号を受信するための受信モジュールとを有する、照明装置。
【請求項２】
前記センサ・モジュールが前記第1の近くにいる対象物の存在を検出した場合、前記制御ユニットが前記受信モジュールを活性化することを特徴とする、請求項１に記載の照明装置。
【請求項３】
前記受信モジュールが、前記第2の近くにいる対象物から受信される無線信号の強度を決定できることを特徴とする、請求項１に記載の照明装置。
【請求項４】
前記受信モジュールが、前記第2の近くにいる対象物に無線信号を送信するための送信機を有することを特徴とする、請求項１に記載の照明装置。
【請求項５】
前記第2の近くにいる対象物が、RFIDタグ及び/又はNFCベースの装置を有することを特徴とする、請求項１に記載の照明装置。
【請求項６】
前記センサ・モジュールが、圧力センサ、容量センサ、誘導センサ、又は光学センサを有することを特徴とする、請求項１に記載の照明装置。
【請求項７】
前記制御ユニットが、近くにいる対象物との関連付けに応じて、自身の動作モードを変化させることができるプログラム・モードを担い得ることを特徴とする、請求項１に記載の照明装置。
【請求項８】
外部のコンポーネントに対する少なくとも一つの通信インタフェース、特に類似の照明装置及び/又は複数の類似の照明装置によって共有される外部のコンポーネントとの双方向の通信インタフェースを有することを特徴とする、請求項１に記載の照明装置。
【請求項９】
請求項１に記載の照明装置と、前記照明装置の受信モジュールと互換性がある、少なくとも一つの無線通信装置、特にRFIDタグ及び/又はNFCベースの装置とを有する、交通管制システム。
【請求項１０】
a)エリア内の少なくとも一つの検出サイトで、対象物の存在を検出するステップと、
b)無線通信装置の助けを借りて、前記対象物を識別するステップと、
c)前記対象物の識別に応じ、及び前記対象物の検出サイトに応じて、少なくとも一つの照明ユニットの照明状態を変化させるステップとを含む、エリア内に無線通信装置、特にRFIDタグ及び/又はNFCベースの装置を担持している対象物を制御する方法。
【発明の詳細な説明】
【技術分野】
【０００１】
本発明は、発光ユニットと、近くにいる対象物（例えば人）の検出ができる付随する制御ユニットとを有する照明装置に関する。さらに、本発明は、斯様な照明装置を有する交通管制システムに関し、そしてRFIDタグ及び/又はNFC（近距離無線通信）ベースの装置のような無線通信装置を担持している対象物を制御する方法に関する。
【背景技術】
【０００２】
発光ユニット及び圧力センサを有する床タイルが、米国特許公報US 6 603 082 B1で開示されている。圧力センサが、足でタイルを踏んでいる人を検出したとき、隣接タイルとの通信と同様、発光ユニットの活性化を含む関連付けの処置を開始することができる。従って、複数の通路に歩行者の流れを均一に分布させるために、歩行者が例えば選択的に誘導されることができる。
【発明の概要】
【発明が解決しようとする課題】
【０００３】
この状況に基づいて、追加された機能をもつ照明装置を供することが、本発明の目的である。
【課題を解決するための手段】
【０００４】
この目的は、請求項１に記載の照明装置、請求項 9に記載の交通管制システム、及び請求項10に記載の方法によって達成される。好ましい実施例が、従属請求項において開示されている。
【０００５】
本発明による照明装置は、例えば、多少の情報を符号化することが可能な、制御しながら光を発するための発光ユニット、及び/又は単に領域を照らすことができる発光ユニットを有する。例えば発光ダイオード（LED）、蛍光体変換LED、有機発光ダイオード（OLED）、レーザ、蛍光体変換レーザ、着色した蛍光灯、フィルタ処理（色付きの）ハロゲン灯、フィルタ処理（色付きの）高強度放電（HID）灯、及び/又はフィルタ処理（色付きの）UHPランプの形態で、照明ユニットは、一つ以上の個別の発光体を有する。さらに、照明装置は、照明ユニットの動作（点灯、消灯、輝度、色、空間起動パターン等々）を制御する、付随する制御ユニットを有する。前記制御ユニットは、以下のコンポーネントを有する：
a) 第1の近くにいる対象物の存在（例えば人の存在）を検出するためのセンサ・モジュール。対象物が「近く」にいるとして検出される距離は、原アプリケーションに依存し、そして一般的には照明装置の直径の範囲内にある場合を指し、一般的な実施例では、対象物は、検出されるために、センサ・モジュールに触れねばならないであろう。
b)  第2の近くにいる対象物からの無線信号を受信するための受信モジュール。前記第2の対象物は、前記センサ・モジュールによって検出される第1の対象物と、原則として同一であってもよい。しかしながら一般に、第2の対象物は、第1の対象物によって担持される多少の特別な装置、例えばRFIDタグ及び/又はNFCベースの装置であろう。第2の対象物が「近くに」いると考えられる距離は、第1の対象物が「近くに」いる距離と通常対応し、もちろん、第2の対象物と受信モジュールとの間の無線通信の有効範囲によって限定される。
【０００６】
近くにいる（第1の）対象物の存在に反応する既知の接触型の照明装置とは対照的に、提案された照明装置は、近くにいる第2の対象物からデータを受信することが更にできる。これらのデータは、センサ検出の結果を照合するためか、又は（第2の及び/又は第1の）対象物を識別するために、例えば使われることができる。対象物の識別は、制御ユニットが対象物に特定の処置、例えば対応する信号灯によって許可領域及び立ち入り禁止の領域を示したり、又は乗客を所望の目的地へ誘導することを始動するのを可能にする。
【０００７】
照明装置の受信モジュールは、連続的に作動しても良いし、又は考え得る（第2の）近くにいる対象物から無線信号を受信して「目覚め」ても良いし、又は、何らかの周波数（例えば0.1〜10Hz）で、断続的に活性化されても良い。好ましい実施例では、センサ・モジュールが第1の近くにいる対象物の存在を検出した場合、制御ユニットが受信モジュールを活性化するよう適応されている。第1の近くにいる対象物が第2の近くにいる対象物に付随する（及び第2の近くにいる対象物を介して識別された）場合、これは特に役に立つ。斯様な区別が可能な起動が、受信モジュールが活性化される唯一の態様であってもよく、又は、他の起動方式に追加で適用されてもよい。
【０００８】
照明装置の好ましい実施例において、受信モジュールは、第2の近くにいる対象物から受信された無線信号の強度を決定することが可能である。複数の照明装置が用いられる場合、これらの照明装置の受信モジュールによって受信された信号の強度の比較は、次に、複数の照明装置に対する第2の対象物の位置を決めることを可能にする。第2の対象物の送信機の強度のような、重要な動作パラメータが既知である場合、第2の近くにいる対象物と受信モジュールとの間の絶対距離を推定することさえ可能である。
【０００９】
これまでは、受信モジュールは無線信号を受信することができると看做されたのみである。好ましい実施例では、受信モジュールは、しかしながら、例えば、第2の近くにいる対象物に無線信号を送るための送信機も有する。これは第2の対象物との双方向通信を可能にし、この通信は、受信ユニットによって通信を始動するために、オプションで使われることができる。従って、（第1の）近くにいる対象物の存在がセンサ・モジュールによって検出された場合、RFIDタグ及び/又はNFCベースの装置の識別結果を能動的に問い合わせることが、例えば可能である。
【００１０】
すでに説明されたように、第2の対象物は特に、無線周波数-識別トランスポンダ（「RFIDタグ」）及び/又は、例えば最新の携帯電話などの近距離無線通信（NFC）の原理によって通信することができる装置を有する。即ち、受信モジュールは、斯様な装置と通信するのに適している。RFID技術は、多くのアプリケーションで重要性が増しており、対応する装置（トランスポンダ、読み取り器）は、安いコストで直ちに利用できるようになっている。この技術が追加のコストを必要とせず、又はほとんど僅かな追加コストのみによって使われることができるよう、多くの対象物が、これ故、RFIDタグを今後は備えるであろう。NFC-技術は、ISO 18092、ECMA 340、及びETSI TS 102で例えば既定されており、一般的に約20cmの限られた範囲内で、約13.56MHzの周波数で作動する。当該技術は公共輸送機関、及び携帯電話、PDA等々などの携帯機器で、すでに使われている。NFCは、独立型の識別／許可チェックとして、又はRFID-技術と組み合わせて使われることができる。
【００１１】
制御ユニットのセンサ・モジュールは、第1の近くにいる対象物の検出ができる、どのような適切な技術に基づいてもよい。特に、センサ・モジュールは、センサに触れている対象物の重量を検出するための圧力センサ、対象物の存在により生じる静電容量の変化を検出するための容量センサ、対象物の存在により生じるインダクタンスの変化を検出するための誘導センサ、又は対象物によって生じる光学変化（例えば光線透過率又は反射率の変化）を検出する光学センサ、を有する。
【００１２】
照明装置は、近くにいる対象物との関連付けの履歴、即ち、近くにいる第1の対象物のセンサ検出の履歴、及び近くにいる第2の対象物との無線通信の履歴に関する情報を記憶するためのメモリ・ユニットを、オプションで有する。前記情報は、対象物の直近の検出以降経過した時間、又は対象物の検出の（移動）平均数を、例えば表している。発光ユニットは次に、記憶された情報に従って、例えば対象物との直近の関連付けからの時間経過に比例して変化する輝度又は色を担うことによって、制御される。
【００１３】
本発明の別の実施例によれば、制御ユニットは、当該ユニットの「通常の」動作モードが、近くにいる（第1又は第2の）対象物との関連付け（即ち、検出又は無線データ通信）に応じて変えられることができるプログラム・モードを担うことができる。当該制御ユニットの実動作モードは、メモリ・ユニットに記憶された内部状態変数によって、オプションで決定されても良い。この実施例の一つのアプリケーションは、プログラム・モードの間に、単に照明装置上を歩くことによって、床上の照明装置のアレイへの、足跡の、例えばプログラミングである。プログラム・モードは、外部コマンドによって例えば始動され、又は受信モジュールによって特定の第2の対象物を識別することにより始動され、又はセンサ・モジュール等によって特定のパターン（例えば、第2の対象物の識別に直ちに続く複数回の第1の対象物との接触）を検出することにより始動される。
【００１４】
制御ユニットによって種々異なる光強度及び/又は種々異なる光色をもつ照明状態に活性化されることができるよう、発光ユニットが好ましくは設計される。斯様な種々異なる照明状態は、光強度を必要とされる照明レベルに適応させるため、又はユーザに対する情報をエンコードするために、例えば用いられることができる。発光ユニットは、別個に又は同時に選択的に活性化されることができる、少なくとも2個の発光体（例えば、種々異なる色のLED）を特に有する。
【００１５】
制御ユニットは、外部のコンポーネントに対する少なくとも一つの通信インタフェースを、オプションで有する。このリンクは、更なる評価のために、制御ユニットから何らかの中央データ処理ユニットまで情報を伝える目的で、又は外部から照明ユニットを制御する目的で、照明装置をこれまでに説明されたプログラム・モードに入れるために、例えば使われることができる。当該通信インタフェースは、類似の照明装置との接続が出来るよう、及び/又は複数の類似の照明装置によって共有された外部のコンポーネントとの接続ができるよう、好ましくは双方向性である。この場合、同一又は類似の照明装置のアレイが、協調された態様で対象物の存在に反応することができるよう、造られることができる。
【００１６】
照明装置は、同形のタイルと一緒に、実質的に隙間のない態様で特定のエリアを埋めるために敷かれることができる、タイルの形を好ましくはしている。単純な事例では、前記タイルの形状は、矩形か、又は六角形である。複数の種々異なる形状のタイルのセットが、隙間なくエリアを埋めるために必要とされる場合を含み、より複雑な形状もまた、しかしながら可能である。
【００１７】
本発明は、更に、上で説明されたような少なくとも一つの照明装置（即ち、発光ユニット、及びセンサ・モジュールと受信モジュールとを有する付随する制御ユニット）と、少なくとも一つのワイヤレス通信装置、特に照明装置の受信モジュールと互換性のあるRFIDタグ及び/又はNFCベースの装置とを有する、交通管制システムに関する。当該交通管制システムの詳細、長所及び改善点に関する、より多くの情報のために、当該照明装置についての先行した説明が行われる。
【００１８】
さらに本発明は、無線通信装置、特にRFIDタグ及び/又はNFCベースの装置を担持している対象物を、エリア内で制御する方法に関し、当該方法は、
a)   エリア内の少なくとも一つの検出サイトで、対象物の存在を検出するステップと、
b)  当該無線通信装置の助けを借りて対象物を識別するステップと、
c)  対象物の識別に応じ、及び対象物が検出された検出サイトに応じて、少なくとも一つの照明ユニットの状態を変化させる（例えば、点灯/消灯とか、又は輝度若しくは色を変化させる）ステップとを有する。
【００１９】
交通管制システム及び上述した方法は、上で説明されたような照明装置の特定のアプリケーションを実現し、対象物は、センサの助けを借りてエリア内で特定され、RFIDタグの助けを借りて識別される。照明ユニットは、次に、対象物が特定された場所及び対象物の識別に応じて、例えば、特定の乗客が特定の個々の目的地に到達するために行かなければならない方向へ、活性化（点灯）される。さらに、未許可の人が制限区域で検出された場合、（複数の）照明ユニットが、例えば警報の信号を送ってもよい。
【００２０】
本発明のこれらの態様及び他の態様は、これ以降説明される（複数の）実施例から明らかであろうし、また当該実施例を参照して解明されよう。これらの実施例は、添付の図面の助けを借りて例示的態様にて説明されよう。
【図面の簡単な説明】
【００２１】
【図１】本発明による照明タイルを有する床エリアの斜視図を概観的に示す。
【図２】本発明による照明タイルのレイアウトを概観的に示す。
【図３】外部読み取り器及び外部コントローラに接続された複数の照明装置のレイアウトを概観的に示す。
【図４】無線信号の強度を評価することによって対象物の位置を決定する原理を例示する。
【図５】容量センサ・モジュールをもつ照明装置の例を示す。
【図６】照明装置を用いた乗客の誘導を例示する。
【発明を実施するための形態】
【００２２】
図中で、同じ参照番号、又は100の整数倍だけ異なっている参照番号は、同一又は類似のコンポーネントである。
【００２３】
本発明による照明装置が、床、壁、天井等を覆うために使われることができる照明タイルとする特定の具体例に関して、以下に説明されよう。図1は、この点で本発明に従った、同一の矩形の（又は異なる形をした）照明タイル100で覆われた床エリア 1を示す。以下で詳しく説明されるように、前記タイル100は、当該タイルに重量をかけることによって、例えば歩行者3が照明タイル上に足を載せたときに活性化される（即ち、タイルが、点灯される）。
【００２４】
タイル100は、種々異なる照明状態、例えば種々異なる光強度又は種々異なる色を担うことが好ましくは可能である。この機能は、人がタイルに足を載せた直近の時から経過した時間に応じて、照明状態を変化させるために、例えば使われることができる。図1に示すように、床1を歩いている人3の足跡は、このように例えば段階的に次第に暗くすることができる。しかしながら、タイル100上の重量の検出によって始動されるアクションは、対応する照明ユニットのスイッチを入れることに限定されるのではなく、作動中の照明ユニットの消灯、又は照明の色若しくは強度を変化させることも、代替的にあることが留意されねばならない。検出された重量によって始動されることができる処置の更なる例は、米国特許公報 US 6 603 082 B1で例えば見いだされることができる。
【００２５】
図1は、歩行者3が、RFIDタグ2を有するスーツケースを担持していることを更に示し、前記タグは、対応するタイル100との無線通信を介して識別される。このように、「第1の対象物」（歩行者3）は、自らの重量を介して検出され、その一方で、「第2の対象物」（RFIDタグ2）は、無線データ伝送を介して識別される。これは、システムが種々異なる対象物を区別して、対象物の各々に対して個別の反応を示すことを可能にする。
【００２６】
説明されたシステムの一つの特定のアプリケーションでは、駅、空港、店舗、ホテル、オフィスのような公共の場所にいる乗客3は、彼又は彼女の目的地（例えば特定のプラットフォーム、特定のゲート、特定の製品、特定の部屋等）へ、個別に誘導されることができる。斯様な誘導は、乗客3が次に足を載せねばならないタイル100'を明るく照らすことによって、例えば実行されることができ、種々異なる色が、種々異なる人の経路を示すために、及び/又は種々異なる目的地への経路を示すために使われることができる。
【００２７】
説明されたシステムの別のアプリケーションでは、照明タイル100がある床1は、未許可の人（即ち、正しいRFIDタグをもっていない人）の存在を検出し、例えば前記人の周囲のタイルを点滅させることによって、対応する警報を始動するために使用されてもよい。
【００２８】
図2は、本発明による照明タイル100の、一つの可能なレイアウトを概観的に示す。前記タイル100は、種々異なる色をもつ2個の発光ダイオード11、12、特にOLEDを含む発光ユニット10を有する。発光ダイオード11、12は、二つのスイッチ27及び28の開閉状態を切替える、制御ユニット20のドライバ21によって、オン又はオフに選択的に切替えられる。
【００２９】
制御ユニット20は、更に近くにいる対象物3の存在を検出することができる、ドライバ21に接続されたセンサ・ユニット24を有する。さまざまな検出原理が、この目的のために使われることができる。例えば、
-  圧力信号の評価。この評価は、追加の検知手段、又は照明ユニット10がOLED 11、12を有する場合、当該OLED固有の容量の変動を介して、行われることができる。
-  （周囲に対する）コモン・モードの浮遊容量の評価。
-  誘導性の近接効果の評価。
-  タイル100上で反射された光の変化の検出。
【００３０】
ドライバ21は、受信モジュール22に更に接続されている。アンテナ23と共に、当該受信モジュール22は、外部のRFIDタグ2と（一方向性又は双方向性の）無線通信を確立することができる。（識別が出来なかった場合を含めた）識別処理の結果に応じて、制御ユニット20の動作モードを変更することがある。
【００３１】
制御ユニット20は、例えばRAM、ROM、EPROM等のメモリ・ユニット25を更に有する。前記メモリ・ユニット25は、内部状態変数、有効なIDに関する情報、及び／又はタイル100の検出履歴に関する情報を記憶するために使われることができる。
【００３２】
最後に、制御ユニット20は、隣接タイル及び/又は中央ホストコンピュータと情報を交換することができる通信インタフェース26を有する。このように、対象物がセンサ・ユニット24によって検出された場合、及び/又は受信機22によって識別された場合、隣接タイルは、例えば通知されることができ、当該タイルの反応は、（図1の強調されたタイル100'の場合のように）連係されることができる。
【００３３】
照明タイルのこれまでに説明された意図と共に、さまざまな処置が、対象物の検出及び/又は対象物の識別によって始動されることができる。例えば、
-  照明ユニット10及び/又は周辺のタイルの照明ユニットが、点灯されるか、消灯されるか、又は同ユニットの明るさを変化させる。
-  照明ユニット10及び/又は周辺のタイルの照明ユニットが、同ユニットの色を変化させる。
-  センサ・ユニット24が対象物3を検出している限り、照明状態が上述した態様で操作される。
-  センサ・ユニット24が対象物3を検出した後、照明状態が保持され、所定の（歩行）期間の後、事前に規定された機能に戻される。
-  照明状態が、対象物の検出イベントの移動平均回数を表す。
-  プログラミング又は「書き込みモード」が確立されることができ、 プログラム可能な足跡が、タイルの上を歩くことよって「書き込まれる」ことができる。
-  タイルの状態が、「立ち入り禁止のエリア」を示すことができる。
-  RFID及び/又はNFCベースの装置と組み合わせて、タイルの状態が、例えば、許可されていない人、又は許可されていない荷物、又は店舗内で未払いの商品を示すことができる。
【００３４】
上記の考えられる処置のリストは、決して全てではないことに留意されねばならない。提案された照明タイル100は、装飾的な目的、顧客の誘導、安全点検のサポート、マーケティング、快適性又は娯楽性の目的で、店舗、ホテル、空港、駅、余暇の公園、公共建物、オフィスビル等で、例えば使用されることができる。さらに、提案された照明タイル100は、店舗内の「顧客が好む場所」についての統計の取得を支援することができる。
【００３５】
図3は、床照明システムの更なる特定の具体例を概観的に示している。当該具体例は、中央制御手段230（例えばマイクロコンピュータ）、一つ以上のRFID基地局222、多数の類似の照明タイル200、及び人又は移動対象物によって担持された携帯ラベル（図示せず）から構成されている。
【００３６】
タイル200は、制御可能な発光体210、アンテナ223、踏面センサ224、スイッチ、及びローカルコントローラを有する。センサ224は、タイル上部又はタイルの直上にいる、人／対象物の存在を検出することができる。この検出イベントが、この範囲に在るどのようなラベルも検出するために、（太線で囲まれているタイル内に示されるように）RF信号を放射するアンテナ223を活性化する。標準の13MHzのシステムの検出範囲は、例えば約1mである。
【００３７】
アンテナ223に付随するRF読み取り器は、各タイル200内に取り付けられることもある。図示された実施例ではRF読み取り器の基地局222は、経費を節約するために、各タイル200内ではなく、一群のタイルによって共有されている。この場合、アンテナ223のみが各タイル200内に取り付けられて、インピーダンス変成器IT及び電線226を介して、RF読み取り器222に接続されている。読み取り器222が各タイル200に個々に接続されていない場合、マルチプレクサのような手段が、読み取り器222と各タイルとの間に固有の（及び、識別可能な）接続を行うために存在しなければならない。
【００３８】
RFIDの動作から生じたデータは、ホストコントローラ230が更に利用できるようにされ、当該コントローラは、踏まれたタイルの照明状態を順番にデータ処理する。このデータ処理の結果は、追加の信号経路226' を介して転送されるか、又はRF経路226を介して転送されるかの何れかである。データ処理の結果は、タイルの明るさ／色を維持する／変化させるために、舗床面のタイル200内のランプ210を駆動するローカル・ドライバISを活性化させることであろう。
【００３９】
RFID技術を使用する代わりに、容量ベースの識別システム、例えば、胴体又は皮膚が伝送媒体として用いられるPAN（「パーソナル（胴体／人間）エリア・ネットワーク」）が使われても良い（Ident Technology社のSkinplexアプリケーション、ベスリンク、ドイツ、を参照）。ここでの長所は第1に、人の場合は、タイルから人への距離に関する到達範囲がよく制御されることができるということである。その理由は、胴体自体がトランスポンダ・メディアの一部だからである。第2に斯様なシステムは、特定の種類のセンサ、即ち静電容量検出器と上手く組み合わせられることができる（図5に関連して更に説明されよう）。しかしながら、RFIDと比較して、PANは常に能動型のデバイスを必要とする。
【００４０】
図4は、照明タイル300（例えば、図2又は図3によるタイル）のあるフロア上で、踏面イベントと携帯ラベル担持者との改善されたマッピングを可能にする、限定されたアルゴリズムを扱っている。床タイル内のアンテナの到達エリアがほぼ一定であったとしても、受信信号は、ラベルを担持する人、及びラベルが担持されている場所又は方法に強く依存する。図4は、フロア上に二人の人A及びBがいる、斯様な状況を例示している。各舗床タイル300の左上隅の記号は、対応するアンテナが活性化された場合、RFデータ読み取り手段によって受信されるであろう信号強度を示している。
【００４１】
人Aが立っているタイルのアンテナは、人Aから（高い）強度A2をもつ、例えばRFデータを受信する。しかしながら当該アンテナは、人Bから、（同様の）強度B2をもつRF信号も受信する。二つのRF信号の不明確さを克服するために、二つの手段が、とられることができる。即ち、第１に、踏面イベントが起きた後、踏まれたタイルのアンテナのみでなく、周囲のアンテナもまた活性化され、中央制御装置（図示せず）で評価されることができる一種の確率分布エリアを、結果として生じる。第2に、当該中央制御装置は、測定されたRF信号と対象物A又は対象物Bとの間の正しい識別を明らかにするために、これらのエリアを踏面イベントと相関を取ることができる。このアプローチは、例えば、人がラベルを担持していないことを検出することさえ可能にする。
【００４２】
通信構造に関しては、例えば、踏面イベントが起きた後、周囲のタイルのアンテナを直接活性化するために、タイル間の通信が導入されることもできる。
【００４３】
図5は、踏面イベント、又はより一般的に、タイル上の人又は対象物の存在を検出するための、タイル400の独特なセンサ配置を示す。タイル400の表面上又は表面下に複数の電極424があり、これらの電極は一つ以上のコンデンサを形成している。これらのコンデンサは、1個の電極が各隅にあり、同じ電位が対角線上に配置された電極に付加される構成であることが、上側の中央のタイルに、記号によって例示的に示されている。静電容量は、電極上の物体の誘電率又は導電率に依存する。静電容量のいかなる変化も、この場合、例えば共振回路で評価されることができる。図5は、隣接タイルの検出を切り離すことを特に意図している配置を示している。
【００４４】
図6は、具体的な誘導アプリケーションを例示している。ここでは、全ての床が照明タイルで覆われているのではなく、数個のタイル500からなる、特定の小さいエリアのみが覆われている。人が中央のタイルへ行く場合、システムは、例えば八つの隣接するタイルの中の適切なタイルを点灯することによって、行くべき方向を示すことができる。当該システムは、人によって担持された、例えばチケット又はホテルの鍵に一体化されたラベルを更に検出することができ、例えば適切なチェックインデスク、又はホテルの適切な部屋の方向を指し示すことができる。
【００４５】
タイル全体を照明することの他に、タイルの両側のみ、隅のみ、若しくは他のパターン、又はタイル間の継ぎ目が照明されてもよい。
【００４６】
最後に、本出願において、用語「有する」が他の要素又はステップを除外しないこと、「a」又は「an」が複数を除外しないこと、及び単一のデータプロセッサ又は他のユニットが複数の手段の機能を果たすことができることが指摘される。本発明は、どの新規な特徴機能にも帰属し、及び特徴機能のどの組合せにも帰属する。さらに、請求項中の参照符号は、請求項の範囲を限定するものとして解釈されてはならない。
【図１】
2010510621.tif 000003
【図２】
2010510621.tif 000004
【図３】
2010510621.tif 000005
【図４】
2010510621.tif 000006
【図５】
2010510621.tif 000007
【図６】
2010510621.tif 000008
【国際調査報告】
2010510621.tif 000009
2010510621.tif 000010